(57)【要約】【課題】  フロートやスイッチに異常が発生しても確実に水位を検出できる構造にして、異常時にドレン受皿からドレン水が溢れ出すことを防ぐ。【解決手段】  冷房運転に伴って発生したドレン水がドレン受皿４３に溜まる。ドレン水の水位が上がって、第２浮動体６１が上昇し、高水位になると、第２検出器６３からの出力により、制御装置５０は、満水になったと判断する。冷房運転を停止するとともに、ポンプ８も停止する。高水位を検出できなかった場合、さらに水位が上がり、異常水位になる。第１浮動体６０が浮き上がって、アーム６６が第３検出器６４に接触する。電源回路６９から制御装置５０への電源供給が遮断され、制御装置５０の作動が停止し、運転も停止する。【選択図】  図５
2006234286.tif 000002
【特許請求の範囲】
【請求項１】
電気機器の運転によって発生した水を溜める貯水器に設けられ、該貯水器に溜まった水を排出する排出手段を駆動するために、前記貯水器の水位を検出する水位検出装置であって、前記排出手段が駆動開始するときの低水位を検出するための第１検出器と、低水位よりも高い満水時の高水位を検出するための第２検出器と、高水位よりも高い異常水位を検出するための第３検出器とを備えたことを特徴とする水位検出装置。
【請求項２】
水位の変化に応じて移動する第１浮動体および第２浮動体を備え、前記第２検出器と第３検出器とは、それぞれ異なる前記浮動体に組み合わせられたことを特徴とする請求項１記載の水位検出装置。
【請求項３】
第３検出器は、浮動体に接触して動作する機械的スイッチとされ、異常水位を検出したとき、電気機器の電源をオフすることを特徴とする請求項２記載の水位検出装置。
【請求項４】
第１検出器および第３検出器は、浮動体に接触して動作する機械的スイッチとされ、前記第３検出器と組み合わせられた第１浮動体は、フロートと、これに連結されたアームとからなり、該アームは支持軸周りに揺動自在とされ、前記アームを挟んで下側に第３検出器、上側に第１検出器が配置され、前記フロートが水位に応じて移動することにより、前記アームが揺動して各検出器に接触することを特徴とする請求項２記載の水位検出装置。
【請求項５】
第２検出器は、非接触で浮動体の移動を検出する非接触式スイッチとされ、満水を検出したとき、水が発生しないように電気機器の運転を停止する信号を出力することを特徴とする請求項３または４記載の水位検出装置。
【請求項６】
冷凍サイクル運転により蒸発器から発生したドレン水を溜める貯水器と、前記貯水器からドレン水を排出する排出手段と、前記貯水器の水位を検出する水位検出装置と、検出された水位に応じて冷凍サイクル運転および前記排出手段の駆動制御を行う制御装置とを備え、前記水位検出装置は、低水位を検出するための第１検出器と、低水位よりも高い高水位を検出するための第２検出器と、高水位よりも高い異常水位を検出するための第３検出器とを備え、前記第３検出器が異常水位を検出したとき、前記制御装置に供給される電源がオフされることを特徴とする空気調和機。
【請求項７】
水位検出装置は、水位の変化に応じて移動する第１浮動体および第２浮動体を備え、第１検出器および第３検出器は、前記第１浮動体と組み合わせられ、前記第２検出器は、前記第２浮動体と組み合わせられたことを特徴とする請求項６記載の空気調和機。
【請求項８】
制御装置は、第１検出器が低水位を検出したとき、排出手段が作動中であれば作動を停止させ、前記排出手段が停止中であれば作動を開始させ、第２検出器が高水位を検出したとき、冷凍サイクル運転を停止させることを特徴とする請求項５記載の空気調和機。
【請求項９】
排出手段を強制的に作動させる排出ボタンが設けられ、制御装置は、第２検出器が高水位を検出したとき、前記排出手段を停止させ、前記排出ボタンが操作されたとき、前記排出手段を作動させることを特徴とする請求項８記載の空気調和機。
【請求項１０】
排出ボタンは、冷凍サイクル運転を開始させるための運転ボタンと共用され、制御装置は、冷凍サイクル運転の開始とともに、所定時間排出手段を作動させることを特徴とする請求項９記載の空気調和機。
【発明の詳細な説明】
【技術分野】
【０００１】
本発明は、空気調和機の冷房運転や暖房運転時に発生するドレン水を貯水器に溜めながら、ドレン水を処理するために貯水器から排出するとき、ドレン水の水位に応じて運転を制御するために用いる水位検出装置に関する。
【背景技術】
【０００２】
空気調和機では、冷凍サイクル運転によって冷房あるいは暖房を行ったとき、空気中の水分が凝縮されて、ドレン水が発生する。ドレン水は、流れ落ちて貯水器に溜まる。そして、溜まったドレン水は、ポンプにより貯水器から排出され、そのまま外部に排水されたり、あるいは外部に出さずに内部で蒸発させる排水処理が行われる。
【０００３】
貯水器では、ドレン水の供給量と排出量との関係により水位が変動する。この水位に応じて冷凍サイクル運転や排水処理が制御される。そのため、貯水器に、溜まったドレン水の水位を検出する水位検出装置が設けられる。
【０００４】
例えば特許文献１には、ドレン水の水位に応じて上下動するフロートと、ドレン水が下限水位に達したときフロートによりオンする第１スイッチと、ドレン水が上限水位に達したときフロートによりオンする第２スイッチとが記載されている。下限水位が検出されたとき、ポンプが作動され、上限水位が検出されたときには、満水になったとして、冷凍サイクル運転が停止される。
【特許文献１】実開平７−２２３１９号公報
【発明の開示】
【発明が解決しようとする課題】
【０００５】
上記の水位検出装置では、フロートが水位に応じて上下動することにより水位が検出される。しかし、貯水器に異物が入って、この異物にフロートが引っ掛かるといった事態が起こると、水位が上がってもフロートは正常に移動しない。すると、満水になったことが検出できず、冷凍サイクル運転はそのまま継続され、さらにドレン水が供給されて、貯水器からドレン水が溢れ出してしまう。また、第２スイッチが故障した場合、フロートが上昇してもスイッチがオンせず、満水を検出できない。そのため、同様にドレン水が溢れ出してしまう。
【０００６】
本発明は、上記に鑑み、フロートやスイッチに異常が発生しても確実に水位を検出できる構造にして、ドレン水が溢れないようにできる、空気調和機の使用に適した水位検出器の提供を目的とする。
【課題を解決するための手段】
【０００７】
本発明は、電気機器の運転によって発生した水を溜める貯水器に設けられ、該貯水器に溜まった水を排出する排出手段を駆動するために、前記貯水器の水位を検出する水位検出装置であって、前記排出手段が駆動開始するときの低水位を検出するための第１検出器と、低水位よりも高い満水時の高水位を検出するための第２検出器と、高水位よりも高い異常水位を検出するための第３検出器とを備える。
【０００８】
そして、水位の変化に応じて移動する第１浮動体および第２浮動体を備え、第２検出器と第３検出器とは、それぞれ異なる前記浮動体に組み合わせられる。このように、浮動体および検出器を複数にすることにより、水位が上がったとき、いずれかの検出器によって水位を検出することができる。したがって、二重の安全構造となり、貯水器から水が溢れ出すことはない。
【０００９】
第３検出器は、浮動体に接触して動作する機械的スイッチとされ、異常水位を検出したとき、電気機器の電源をオフする。第３検出器が動作すると、直接電源がオフされるので、緊急停止する。これ以上水が発生することはなく、水位が上がることはない。
【００１０】
すなわち、第１検出器および第３検出器は、浮動体に接触して動作する機械的スイッチとされ、前記第３検出器と組み合わせられた第１浮動体は、フロートと、これに連結されたアームとからなり、該アームは支持軸周りに揺動自在とされ、前記アームを挟んで下側に第３検出器、上側に第１検出器が配置され、前記フロートが水位に応じて移動することにより、前記アームが揺動して各検出器に接触する。
【００１１】
第２検出器は、非接触で浮動体の移動を検出する非接触式スイッチとされ、満水を検出したとき、水が発生しないように電気機器の運転を停止する信号を出力する。
【００１２】
電気機器として、例えば空気調和機であるとき、冷凍サイクル運転により蒸発器から発生したドレン水を溜める貯水器と、前記貯水器からドレン水を排出する排出手段と、前記貯水器の水位を検出する上記の水位検出装置と、検出された水位に応じて冷凍サイクル運転および前記排出手段の駆動制御を行う制御装置とを備えている。
【００１３】
第３検出器が異常水位を検出したとき、制御装置に供給される電源がオフされ、運転がすべて停止する。制御装置は、第１検出器が低水位を検出したとき、排出手段が作動中であれば作動を停止させ、前記排出手段が停止中であれば作動を開始させ、第２検出器が高水位を検出したとき、満水になったとして、冷凍サイクル運転を停止させる。
【００１４】
排出手段を強制的に作動させる排出ボタンが設けられ、制御装置は、第２検出器が高水位を検出したとき、前記排出ボタンが操作されると、前記排出手段を作動させる。貯水器に溜まった水が排出され、運転を再開できる。なお、排出ボタンは、冷凍サイクル運転を開始させるための運転ボタンと共用してもよい。制御装置は、冷凍サイクル運転の開始とともに所定時間排出手段を作動させる。
【発明の効果】
【００１５】
本発明によると、浮動体や検出器を複数にすることにより、いずれかに異常が発生しても、他の浮動体や検出器が動作するので、水位が異常に上がったとき、必ず運転を停止させることができる。そのため、貯水器から水が溢れ出すことを確実に防止できる。したがって、安全性に優れた水位検出装置を実現でき、これを空気調和機に用いると、ドレン水が溢れ出して、運転不可能になるといった事態を避けることができる。
【発明を実施するための最良の形態】
【００１６】
本実施形態の一体型空気調和機では、図１、２に示すように、キャビネット１に、圧縮機２、凝縮器３、蒸発器４および絞り機構（図示せず）が内装され、これらによって冷凍サイクルが形成される。そして、空気調和機は、冷風を発生させて、室内を冷房する冷房運転を行う。そのため、空気調和機は、蒸発器４に対する送風ファン５と、凝縮器３に対する排気ファン６と、排気用のダクト７と、冷房運転によって発生したドレン水を処理するためのポンプ８とを備えている。
【００１７】
キャビネット１は、図３、４に示すように、前面パネル１０、左右一対の側板１１、背板１２によって囲まれた構造とされる。そして、キャビネット１は、上側の冷房室１３と下側の排熱室１４とに区画されている。冷房室１３と排熱室１４とは、仕切り板１５によって仕切られ、上下の空間は断熱されている。
【００１８】
冷房室１３には、蒸発器４および送風ファン５が収容され、排熱室１４には、圧縮機２、凝縮器３、排気ファン６、ポンプ８が収容されている。冷房室１３では、前側に蒸発器４が配置され、背面側にシロッコファンからなる送風ファン５が配置されている。排熱室１４では、前側に凝縮器３が配置され、背面側にシロッコファンからなる排気ファン６が配置されている。凝縮器３と排気ファン６との間に、圧縮機２とポンプ８とが左右にそれぞれ配置されている。凝縮器３は、蒸発器４の下方に位置し、蒸発器４と凝縮器３とは上下に並んでいる。
【００１９】
キャビネット１の前側は開口されており、この開口が前面パネル１０によって覆われている。蒸発器４および凝縮器３は、開口に面しており、前面パネル１０と蒸発器４および凝縮器３との間には間隙１６が形成される。この間隙１６に、フィルタ１７が着脱可能に装着されている。
【００２０】
前面パネル１０に、前面吸込口２０と吹出口２１とが形成されている。また、前面パネル１０と側板１１との間に、側面吸込口２２が形成されている。前面吸込口２０は、前面パネル１０の中央に位置して、縦方向に配されている。前面吸込口２０および側面吸込口２２は、間隙１６に連通している。吹出口２１は、前面パネル１０の上部に位置し、水平方向から斜め上方向に向かって開口している。吹出口２１には、ルーバ２３が設けられ、ルーバ２３はモータによって揺動される。吹出口２１は冷房室１３に連通しており、前面吸込口２０および側面吸込口２２から蒸発器４を経て吹出口２１に至る通風路が形成される。これによって、キャビネット１の前面からの吸い込みおよび前方への吹き出しを実現できる。
【００２１】
排熱室１４は、冷房室１３よりも背面側に突出しており、排熱室１４の上面に排気口２４が形成されている。排気口２４に、蛇腹状のダクト７の一端が取り付けられている。ダクト７の他端は、壁２５の開口部に取り付けられ、排熱室１４がダクト７を介して室外と連通する。したがって、排熱室１４では、前面吸込口２０および側面吸込口２２から凝縮器３を経て排気口２４に至る通風路が形成される。この通風路は、ダクト７に連通して、室外へと通じている。
【００２２】
ダクト７の一端は、排気口２４に対して回転自在かつ着脱自在とされる。すなわち、排気ファン６のケーシング２６に形成された排気口２４に、ファンガード２７が回転自在に嵌め込まれている。ダクト７の一端には、ダクトコネクタ２８が設けられている。このダクトコネクタ２８が、ファンガード２７に着脱自在に装着されるが、ダクトコネクタ２８はファンガード２７に対して回転しないように取り付けられている。ダクト７とファンガード２７とが一体的に回転することにより、ダクト７とキャビネット１とは相対的に回転する。
【００２３】
ダクト７の他端は、壁２５の開口部に着脱可能に取り付けられている。すなわち、開口部にある窓３０を利用して、ダクト７を取り付けるための取付パネル３１が窓枠に固定される。窓３０は、上げ下げ窓、引き違い窓のいずれでもよく、取付パネル３１は、窓３０の大きさに合わせて長さを可変できる。
【００２４】
取付パネル３１の取付口３２にダクトホルダ３３が嵌め込まれ、ダクトホルダ３３に、ダクト７の他端に設けられたダクトコネクタ３４が着脱可能に装着される。ダクトコネクタ３４がダクトホルダ３３に装着されることにより、ダクトホルダ３３は取付パネル３１から抜けないように取り付けられる。ダクトホルダ３３の室外側には、雨が入り込まないように、雨除け３５が取り付けられている。したがって、ダクトコネクタ３４をダクトホルダ３３から外すことにより、ダクト７を窓３０から取り外すことができ、さらにダクトホルダ３３も取付パネル３１から取り外すことができる。ここで、ダクト７を外したとき、取付パネル３１の取付口３２が開いたままになるので、取付口３２を塞ぐカバーが取付パネル３１に設けられている。なお、図１中、３６は換気孔であり、換気扇が取り付け可能とされる。
【００２５】
また、キャビネット１の底面には、車輪４０が取り付けられている。したがって、本空気調和機は移動可能とされ、伸縮可能なダクト７を付けたまま室内で移動させることができる。さらに、ダクト７を外すことにより、空気調和機を他の室内に持ち運ぶことができ、任意の場所で使用することができる。
【００２６】
ところで、蒸発器４では、室内空気の熱交換を行うとき、空気中の水分が結露して、ドレン水が発生する。蒸発器４の下方に、ドレン水を受けるドレンパン４１が設けられ、ドレンパン４１の下方に、滴下皿４２が設けられている。ドレンパン４１は、滴下皿４２内に収容され、滴下皿４２は、キャビネット１に取り付けられている。ドレンパン４１に滴り落ちたドレン水は、滴下皿４２に流れ落ち、さらに滴下皿４２から凝縮器３に流れ落ちる。ドレン水は、凝縮器３を通過するときに、凝縮器３を冷却しながら蒸発する。凝縮器３の下方には、ドレン受皿４３が設けられ、凝縮器３を伝って流れてきたドレン水がドレン受皿４３に溜まる。ドレン受皿４３は、排熱室１４の底に載置されており、ドレン受皿４３には、ドレン抜き孔４４が形成され、栓がされている。栓を抜くと、ドレン水が排出される。
【００２７】
そして、ドレン受皿４３に溜まったドレン水の排水処理を行うため、ポンプ８によってドレン水を再び凝縮器３に導き、蒸発させている。ポンプ８は、ドレン受皿４３内に設置され、ポンプ８にドレンホース４５が接続され、ドレンホース４４が滴下皿４２に接続される。なお、ポンプ８が排水手段とされ、ドレン受皿４３が貯水器とされる。
【００２８】
ポンプ８は、ドレン水を吸い込んで滴下皿４２に送り込む。ドレン水は、滴下皿４２から流れ落ちて、凝縮器３の熱によって蒸発する。このように、ドレン水を循環させることによって、外部に排水することなく、内部において排水処理ができる。なお、ドレンホース４５の途中には、流路を切り替えるためのコックが設けられ、排水パイプ４６が接続されている。コックを回すことにより、滴下皿４２に向かって循環する流路と、排水パイプ４６に向かって排水される流路とに切り替えられる。
【００２９】
この空気調和機は、図５に示すように、圧縮機２、送風ファン５、排気ファン６、ポンプ８を駆動制御する制御装置５０を備えている。マイコンからなる制御装置５０は、キャビネット１に内装され、リモコン５１あるいはキャビネットに設けられた操作スイッチからの操作信号に応じて、冷房運転、除湿運転、換気運転といった各種運転を実行する。また、前面パネル１０に、ＬＥＤ等からなる表示器５２が設けられており、制御装置５０は、各種運転に応じて表示器５２の点灯を制御する。さらに、ドレン受皿４３に水位検出装置が設けられ、制御装置５０は、溜まったドレン水の量に応じてポンプ８の動作および冷房運転を制御し、ドレン水が満水になったときの警告として表示器５２の点灯あるいは点滅といった制御を行う。
【００３０】
また、ポンプ８を作動させる排水ボタン５３がキャビネット１に設けられている。排水ボタン５３を操作すると、一定時間だけポンプ８が強制的に作動する。なお、冷房運転を開始するための既存の運転ボタンを共用して、排水ボタンとしてもよい。この場合、運転を開始するときは運転ボタンを１回押す。排水ボタンとして機能させるときは、長押しする、複数回連続で押すといったように、通常とは異なる操作する。制御装置５０は、このような操作がされたとき、ポンプ８を作動させる。
【００３１】
冷房運転では、室内空気が、送風ファン５の駆動によって前面吸込口２０および側面吸込口２２から吸い込まれ、前面パネル１０の間隙１６から蒸発器４を通り抜ける。このとき、吸い込まれた空気は、蒸発器４によって冷却され、冷風となる。冷風は、吹出口２１から室内に吹き出される。
【００３２】
一方、排気ファン６の駆動によって、室内空気が、前面吸込口２０および側面吸込口２２から吸い込まれ、前面パネル１０の間隙１６から凝縮器３を通り抜ける。このとき、吸い込まれた空気は、凝縮器３によって暖められ、温風となる。温風は、排気口２４からダクト７を通り、室外に排出される。
【００３３】
冷房運転により蒸発器４から発生したドレン水は、流れ落ちてドレン受皿４３に溜まる。ドレン水が所定水位まで溜まると、ポンプ８が作動され、ドレン受皿４３のドレン水を汲み上げて、滴下皿４２に導く。汲み上げられたドレン水は、凝縮器３の表面に沿って流れ落ち、蒸発する。蒸発しなかったドレン水は、ドレン受皿４３に溜まり、再び汲み上げられ、蒸発するまで循環される。
【００３４】
除湿運転では、冷房運転と同様に圧縮機２、送風ファン５、排気ファン６、ポンプ８が駆動制御される。ただし、ドレン受皿４３に溜まったドレン水は循環させず、コックの操作によりドレン水を排水パイプ４６から排出する。この場合、ダクト７を外しておく。排熱室１４を通って除湿された空気は、排気口２４から室内に排出される。そのため、室内の温度を変えずに除湿できる。
【００３５】
換気運転では、圧縮機２、送風ファン５およびポンプ８は停止し、排気ファン６のみが駆動される。キャビネット１の前方から吸い込まれた室内の空気は、排熱室１４からダクト７を経て室外に排出される。このとき、壁２５の換気孔３６から室外の空気が入り込み、室内の換気が行われる。
【００３６】
ここで、水位検出装置は、図５〜７に示すように、水位の変化に応じて移動する第１浮動体６０および第２浮動体６１と、低水位を検出するための第１検出器６２と、低水位よりも高い高水位を検出するための第２検出器６３と、高水位よりも高い異常水位を検出するための第３検出器６４とを備えている。第１浮動体６０は、第１検出器６２と第３検出器６４と組み合わせられ、第２浮動体６１は、第２検出器６３と組み合わせられる。
【００３７】
第１浮動体６０は、図６に示すように、箱型のフロート６５と、これに連結されたアーム６６とによって構成される。フロート６５は、ドレン受皿４３のドレン水中に浮かべられ、フロート６５の一側にアーム６６が設けられている。アーム６６は、上方に延び、ドレン受皿４３の上面から突出して、折り曲げられ、アーム６６の中間部分がドレン受皿４３上の支持軸６７に回動自在に支持される。これによって、第１浮動体６０は支持軸６７周りに揺動し、アーム６６の先端が上下動する。
【００３８】
第１検出器６２および第３検出器６４は、リミットスイッチとされ、アーム６６が接触することによりオンオフする機械的スイッチである。第１検出器６２および第３検出器６４は、ドレン受皿４３の上面に設けられた台６８上に設置され、第１検出器６２が上側、第３検出器６４が下側に位置する。
【００３９】
第１浮動体６０のアーム６６を揺動式とすることにより、第１検出器６２および第３検出器６４を近くに配置することができる。このような構造を採用すると、ドレン受皿４３上の限られたスペースでも設置することができ、省スペース化を図れる。
【００４０】
図５に示すように、第１検出器６２は、制御装置５０に接続され、制御装置５０は、第１検出器６２のオンオフを検出して、ポンプ８の作動開始、停止を行う。そして、第３検出器６４は、電源回路６９と制御装置５０との間に接続される。電源回路６９は、商用電源に接続され、制御装置５０の動作に必要な電源を供給する。第３検出器６４には、ノーマルクローズのリミットスイッチが用いられ、通常はスイッチがオンしているので、電源回路６９から制御装置５０に電源が供給され、制御装置５０は作動する。第３検出器６４がオフすると、制御装置５０への電源が遮断され、制御装置５０は作動しなくなる。第３検出器６４を電源回路６９の上流側でなく下流側に設けているので、スイッチの電流容量を小さくでき、小型のスイッチを使用できる。
【００４１】
第２浮動体６１は、図７に示すように、真っ直ぐ上方に延びたピン７０を有するフロート７１とされる。第２浮動体６１は、ガイド７２によって上下方向に移動するように案内される。第２検出器６３は、非接触式スイッチとされ、フォトインタラプタが用いられる。第２検出器６３は、台６８上に設置され、第２浮動体６１のピン７０が第２検出器６３の受発光素子の間に形成された溝に出入りする。
【００４２】
第２検出器６３は、制御装置５０に接続され、発光素子が間欠的に駆動され、受光素子が受光状態に応じて信号を出力する。制御装置５０は、第２検出器６３からの出力により、満水状態と判断し、冷房運転や除湿運転を停止するとともに、ポンプ８も停止する。
【００４３】
第１浮動体６０は、ドレン水の水位に応じて移動する。ドレン水が少ないとき、図６（ｂ）に示すように、フロート６５は水に浮かんでおらず、ドレン受皿４３の底面に突設されたストッパ７３に載った状態にある。このとき、アーム６６は、第１検出器６２に接触している。第１検出器６２はオンしており、ポンプ８は停止している。
【００４４】
そして、ドレン水が溜まり、フロート６５が浮くと、アーム６６は、第１検出器６２から離れる。このときの水位が低水位となる。このように低水位に達すると、第１検出器６２はオフし、ポンプ８が作動する。ドレン水が汲み上げられ、ドレン受皿４３から排出される。なお、ポンプ８が作動して、ドレン水の水位が下がり、第１検出器４３がオンすると、ポンプ８は停止する。このように水位が頻繁に変化すると、ポンプ８の作動、停止が繰り返される。そこで、第１検出器６２のオフが一定時間継続したときに、ポンプ８の作動を開始するとよい。
【００４５】
さらに、冷房運転や除湿運転によりドレン水が発生して、ドレン受皿４３に溜まっていく。また、凝縮器３によって蒸発しきれなかったドレン水も流れ落ちてくる。ドレン水の排出よりも供給が多いと、水位は上昇する。浮き上がった第２浮動体６１のピン７０が第２検出器６３の溝内に侵入し、受発光素子間の光路を遮る。第２検出器６３の出力によって満水状態が検出されると、運転が停止され、ポンプ８も停止する。これにより、ドレン受皿４３に供給されるドレン水がなくなるので、水位は上がらない。
【００４６】
このとき、排水ボタン５３を操作すると、ポンプ８は強制的に一定時間、例えば１分間作動する。ドレン受皿４３からドレン水が排出され、水位が下がる。これにより、再び運転が可能となる。なお、コックを回して、排水パイプ４６に向かって排水される流路に切り替えておき、ドレン水は外部に排出される。
【００４７】
ところで、第２検出器６３あるいは第２浮動体６１が何らかの原因によって、正常に作動しなかったとき、満水状態になっても、運転が停止せず、水位がさらに上がる。すると、図６（ａ）に示すように、第１浮動体６０のアーム６６が第３検出器６４に接触する。このときの水位が異常水位となる。第３検出器６４がオフして、電源回路６９から制御装置５０への電源供給が遮断され、制御装置５０の作動が停止する。圧縮機２、ポンプ８等すべての動作が停止する。この場合、ユーザがドレン受皿４３の栓を抜き、ドレン抜き孔４４からドレン水を排出する。その後、リセットボタンを操作したり、電源を入れなおす等を行うことにより、制御装置５０は作動し、運転を行える。
【００４８】
このように、２つの浮動体を用いて水位の変化を検出することにより、一方の浮動体や検出器に異常が発生しても、水位が上がったとき、他方の検出器が正常に動作して、運転を停止できる。したがって、ドレン受皿４３からドレン水が溢れ出すことを防止でき、安全性が高まる。
【００４９】
なお、本発明は、上記実施形態に限定されるものではなく、本発明の範囲内で上記実施形態に多くの修正および変更を加え得ることは勿論である。一体型空気調和機だけでなく、分離型空気調和機に適用してもよい。さらに、除湿機、冷蔵庫といった運転により水が発生する電気機器に適用してもよい。また、非接触式スイッチである第２検出器は、磁気スイッチとしてもよい。排水ボタンを運転ボタンと共用させる場合、運転ボタンを操作したとき、冷凍サイクル運転を開始させるとともに、所定時間だけポンプを作動させるようにしてもよい。ドレン水が溜まっているとき、ドレン水を減らすことができる。
【図面の簡単な説明】
【００５０】
【図１】本発明の一体型空気調和機の全体構成図
【図２】空気調和機の排熱室内部の配置を示す図
【図３】前面側から見た空気調和機の外観斜視図
【図４】背面側から見た空気調和機の外観斜視図
【図５】空気調和機の制御ブロック図
【図６】第１浮動体と第１検出器および第３検出器を示す図であり、（ａ）は異常水位の検出時、（ｂ）は低水位の検出時
【図７】第２浮動体と第２検出器を示す図
【符号の説明】
【００５１】
２    圧縮機
３    凝縮器
４    蒸発器
５    送風ファン
６    排気ファン
７    ダクト
８    ポンプ
５０    制御装置
５３    排水ボタン
６０    第１浮動体
６１    第２浮動体
６２    第１検出器
６３    第２検出器
６４    第３検出器
６９    電源回路
【図１】
2006234286.tif 000003
【図２】
2006234286.tif 000004
【図３】
2006234286.tif 000005
【図４】
2006234286.tif 000006
【図５】
2006234286.tif 000007
【図６】
2006234286.tif 000008
【図７】
2006234286.tif 000009